(57)【要約】【課題】  容器内の灯油等の液体を別の容器へと移送する際に使用する簡易ポンプの改良によるものであり、太陽熱温水器を使用する際に、給湯側配管内に起こる空気溜まりによる給湯の遮断を解消するための、蛇口はめ込み口のついた簡易ポンプを提供する。【解決手段】  簡易ポンプ部に有する吸入口からなる先端に、蛇口はめ込み口を設け、蛇口に取り付けて配管内を吸引排出することを特徴とする蛇口はめ込み口のついた簡易ポンプ。【選択図】  図１
2005201230.tif 000002
【特許請求の範囲】
【請求項１】
簡易ポンプ部に有する吸入口からなる先端に、蛇口はめ込み口を設け、蛇口に取り付けて配管内を吸引排出することを特徴とする蛇口はめ込み口のついた簡易ポンプ。
【発明の詳細な説明】
【技術分野】
【０００１】  本発明は、容器内の灯油等の液体を別の容器へと移送する際に使用する簡易ポンプの改良によるものであり、太陽熱温水器を使用する際に、給湯側配管内に起こる空気溜まりによる給湯の遮断を解消するための、蛇口はめ込み口のついた簡易ポンプに関するものである。
【背景技術】
【０００２】  従来、太陽熱温水器を使用する際に、給湯側配管内に空気溜まりができると、給湯を遮断することがあった。したがって、空気を抜くために、蛇口から給湯側配管内に水を一時的に逆流させ、その逆流水を蛇口から排水することで、誘導サイホン作用によって給湯の遮断を解消したり、給湯側配管内に逆流水を満水にして空気溜まりを解消していた。あるいは、配管をやりかえたり、空気抜き用のバルブなどを設けたり、太陽熱温水器に架台を設置するなど、空気溜まりができないように専門技術と改善修理を必要とし相当の費用と時間が掛かっていた。【０００３】  また、従来より簡易ポンプは圧縮復元可能な握筒部を手で圧し握り、放すという動作を繰り返すことで、吸入口と排出口の内部に設けられた逆止弁を開閉し、容器内の液体を吸入口からなる吸入管より吸い上げ、別の容器へと排出口からなる排出管を通して移送することはできるが、蛇口に取り付けたり、差し込んで使用することができなかった。【０００４】  従来の簡易ポンプの改良に関するものとして、例えば簡易ポンプ部の吸入口からなる吸込ホースを伸縮自在の蛇腹状とし、その中途部分に開閉できる空気流入孔を設け、容器と吸込ホースを支持する支持筒を設けて、簡易ポンプ全体を容器に安定させ、つまみをそなえる弾性線材の付設によって、吸込ホースの長さを調節できる（特許文献１）。また、簡易ポンプ部からなる吸込ホースと吐出ホースを伸縮自在の蛇腹状とし、容器と吸込ホースを支持する支持筒を設けて、簡易ポンプ全体を容器に安定させる（特許文献２）。そして、簡易ポンプ部の吸込口からなる吸込ホースの上端に伸縮自在の蛇腹状吸込ホースを連成し蛇腹の適宜襞間に開閉できる通気孔を設けた（特許文献３）。
【特許文献１】特公昭５２−１４４４２号公報
【特許文献２】特公昭５２−１４４４３号公報
【特許文献３】特公昭５３−３０１６２号公報
【発明の開示】
【発明が解決しようとする課題】
【０００５】  そのために、次のような問題点があった。
（イ）    太陽熱温水器を使用する際、給湯側配管内に空気溜まりができると、給湯を            遮断して、使用することができなくなり不便であった。
（ロ）    太陽熱温水器の給湯を遮断した空気を抜くために、蛇口から給湯側配管内に            水を一時的に逆流させて、給湯の遮断を解消する作業は煩わしかった。
（ハ〉    太陽熱温水器の給湯側配管内の空気溜まりを解消するために、専門技術と改            善修理を必要とし相当の費用と時間が掛かっていた。
（ニ）    太陽熱温水器の給湯側配管内の空気溜まりを解消するために取り付けた、空            気抜き用のバルブなどの屋外での操作は煩わしかった。
（ホ）    従来の簡易ポンプは、蛇口に取り付けたり、差し込んで使用することができ            なかった。
本発明は、これらの問題点を解決するためになされたものである。
【課題を解決するための手段】
【０００６】  簡易ポンプ部に有する吸入口からなる先端に、蛇口はめ込み口を設ける。そして、蛇口に取り付けて配管内を吸引排出する。以上を特徴とする蛇口はめ込み口のついた簡易ポンプ。
【発明の効果】
【０００７】  本発明は、太陽熱温水器を使用する際に、給湯側配管内に空気溜まりができ給湯を遮断しても、簡単に屋内から空気溜まりを直ぐに解消できるので便利である。したがって、太陽熱温水器の給湯を遮断した空気を抜くために、蛇口から給湯側配管内に水を一時的に逆流させて、給湯の遮断を解消する煩わしい作業も必要ない。また、空気抜き用のバルブなどの屋外での煩わしい操作もなくなる。さらに、専門技術や改善修理を必要としないため、その相当な費用と時間が掛からない。
【発明を実施するための最良の形態】
【０００８】  以下、本発明の実施の形態について説明する。
（イ）圧縮復元可能な中空弾性体の握筒部に、吸入口（５）と排出口（７〉を有し、吸        入口（５）から排出口（７）に向かって流れる流体の逆流を防ぐための、逆止弁        を吸入口（５）と排出口（７）の内部に設けた、従来の簡易ポンプ部（６）。
（ロ）簡易ポンプ部（６）に有する、吸入口（５）に吸入管（４）を設ける。
（ハ〉吸入管（４）を密に挿着する吸入管挿入部（３）を有する、蛇口はめ込み本体（        ２）は軟質且つ中空弾性体の筒状で、該中空部は吸入管挿入部（３）より膨大し        てなり、上端部は狭窄して蛇口はめ込み口（１）を設ける。
（ニ）簡易ポンプ部（６）に有する、排出口（７）に排出管（８）を設ける。
本発明は、以上のような構成よりなっている。
本発明を使用するときは、太陽熱温水器を使用する際に、給湯側配管内に空気溜まりができ給湯を遮断した場合、お湯が蛇口から出ない。そこで、蛇口のハンドルは開いたままに、蛇口先端部（９）に蛇口はめ込み口（１）を差し込んで取り付け、簡易ポンプ部（６）を手で圧し握り、放すという動作を数回繰り返すことで、太陽熱温水器の給湯側配管内を吸引と排出を繰り返す。したがって、給湯側配管内の空気溜まりを吸引排出することで給湯の遮断を解消し、お湯が排出管（８）から出てくる。これにより、蛇口のハンドルを閉める。そして、本発明の蛇口はめ込み口のついた簡易ポンプを蛇口先端部（９）から取り外し、もう一度蛇口のハンドルを開ければ、太陽熱温水器の給湯側配管からのお湯が蛇口からでてくる。
【発明を実施するための最良の形態】
【実施例１】
【０００９】  本発明に関する簡易ポンプ部（６）は、従来より数多く知られるところであり、上記実施の形態に説明した簡易ポンプ部（６）においては、吸入口（５）の内部にも逆止弁を設けているが、必ずしもその必要はなく排出口（７）の内部側だけに、逆止弁を設けてあれば効果は等しい。要するに、簡易ポンプ部（６）において吸入口（５）からなるその先端に、蛇口に取り付けられる蛇口はめ込み口（１）を有することである。
【実施例２】
【００１０】  本発明の蛇口はめ込み口のついた簡易ポンプを応用することで、太陽熱温水器の給湯側配管内だけでなく、蛇口を通じてなる配管内の水抜きも、配管状況によって簡単にできるので、寒冷地において配管内の水を抜き凍結防止に利用することもできる。また、本発明は容器内の灯油等の液体を別の容器へと移送する際に使用する簡易ポンプの改良によるものであり、上記実施の形態に説明した手動式に限るものではない。
【図面の簡単な説明】
【００１１】
【図１】本発明の斜視図
【図２】本発明の使用状態の一部切欠側面図
【符号の説明】
【００１２】      １    蛇口はめ込み口
２    蛇口はめ込み本体
３    吸入管挿入部
４    吸入管
５    吸入口
６    簡易ポンプ部
７    排出口
８    排出管
９    蛇口先端部
【図１】
2005201230.tif 000003
【図２】
2005201230.tif 000004